(57)【要約】【課題】マイク穴がユーザの頬で覆われても通話時におけるマイクの集音性能が損なわれることのない携帯端末を提供する。【解決手段】本発明に係る携帯電話機１は、ヒンジ部４を開閉支点として、操作部側筐体２と表示部側筐体３とが相対的に開閉可能に構成され、操作部側筐体２の内部に収容されたマイク１６と、操作部側筐体２を貫通して設けられ、内部側開口がマイク１６に近接した位置に形成されるとともに、外部側開口がヒンジ部４に近接した位置に形成されたマイク穴８と、操作部側筐体２の表面に、マイク穴８からヒンジ部４の側へ向かって延びるように設けられたマイク溝９と、を備えるものである。【選択図】図３
2013021470.tif 000002
【特許請求の範囲】
【請求項１】
ヒンジ部を開閉支点として、操作部側筐体と表示部側筐体とが相対的に開閉可能に構成された携帯端末であって、
前記操作部側筐体の内部に収容されたマイクと、
前記操作部側筐体を貫通して設けられ、内部側開口が前記マイクに近接した位置に形成されるとともに、外部側開口が前記ヒンジ部に近接した位置に形成されたマイク穴と、
前記操作部側筐体の表面に、前記マイク穴から前記ヒンジ部の側へ向かって延びるように設けられたマイク溝と、
を備えることを特徴とする携帯端末。
【請求項２】
前記マイク溝が、前記操作部側筐体におけるヒンジ部側の端部まで達していることを特徴とする請求項１に記載の携帯端末。
【請求項３】
前記マイクが、前記操作部側筐体に設けられたアンテナから離間した位置に収容されていることを特徴とする請求項１又は２に記載の携帯端末。
【請求項４】
前記携帯端末が、携帯電話機であることを特徴とする請求項１から３の何れか１項に記載の携帯端末。
【発明の詳細な説明】
【技術分野】
【０００１】
本発明は、携帯電話機などの携帯端末の構造改良技術に係り、特に、内蔵されたマイクの集音性を高めるために構造を改良した折り畳み式の携帯端末に関する。
【背景技術】
【０００２】
一般的に、携帯電話機に内蔵されるアンテナは、ユーザの手に覆われない位置であるキー操作部の下部または上部の位置に配置されている。このようなアンテナは、ノイズの原因となるマイクの配置位置から所定の距離を保つ必要がある。従って、アンテナがキー操作部の下部に配置されているときは、マイクはキー操作部の上部、例えば折り畳み式の携帯電話機であればヒンジ部の近傍に配置されている。
【０００３】
ここで、このようにマイクがヒンジ部の近傍に配置されている場合、ユーザが通話をするときに頬によってマイク穴（音孔）を覆ってしまうおそれがある。特に、ユーザが通話時にメモを取る際には、ユーザの頬と肩とよって携帯電話機を挟んだ状態で通話を行うため、頬によってマイク穴を塞いでしまうおそれがある。
【０００４】
そこで、このような不具合を解決するための関連技術として、折り畳み式の携帯電話機において、マイク穴（音孔）の周囲に一本または複数本のマイク溝（スリット）を形成した技術が開示されている（例えば、特許文献１参照）。この技術によれば、ヒンジ部下部の特殊操作部（四方向キーや各種ショートカットキー）の近傍の内部にマイクを配置したとき、そのマイクの真上のマイク穴（音孔）から特殊操作部またはキー操作部へ向けて一本または複数本のマイク溝を形成している。これによって、ユーザの頬が携帯電話機の表面へ密着しても、マイク溝によってマイクまでの伝音路は塞がれ難くなるのでマイクの集音性は確保される。すなわち、マイク穴の周辺に形成されたマイク溝の凹部によってマイク穴は塞がれ難くなるので、通話時において携帯電話機を頬と肩で挟んでメモを取るような姿勢でも、マイクの集音性は充分に確保される。
【先行技術文献】
【特許文献】
【０００５】
【特許文献１】特開２００５−１３６７２２号公報
【発明の概要】
【発明が解決しようとする課題】
【０００６】
しかしながら、特許文献１に開示されている技術は、マイク穴（音孔）から特殊操作部の周辺に向けて一本または複数本のマイク溝（スリット）を形成しているので、マイク穴と同様にマイク溝もユーザの頬によって覆われ、これによりマイクの集音性能が損なわれるという問題がある。
【０００７】
また、特許文献１に開示されている技術は、マイク穴（音孔）から特殊操作部の周辺に向けて一本または複数本のマイク溝（スリット）を形成しているので、携帯電話機の意匠形状（デザイン性）が悪くなるおそれがある。近年では、携帯電話機は女性や若者などによって汎用されているので、デザイン性は商品価値の重要は要素である。そのためには、携帯電話機の表面に配置されたそれぞれの機能要素は必要最小限にシンプルであることが望ましい。したがって、マイク穴やマイク溝もシンプルで目立たない形状であることが望ましい。
【０００８】
本発明は、このような事情に鑑みてなされたものであり、デザイン性を確保しながら、マイク穴がユーザの頬で覆われても通話時におけるマイクの集音性能が損なわれることのない携帯端末を提供することを目的とする。
【課題を解決するための手段】
【０００９】
上記の目的を達成するために、本発明に係る携帯端末は、ヒンジ部を開閉支点として、操作部側筐体と表示部側筐体とが相対的に開閉可能に構成された携帯端末であって、前記操作部側筐体の内部に収容されたマイクと、前記操作部側筐体を貫通して設けられ、内部側開口が前記マイクに近接した位置に形成されるとともに、外部側開口が前記ヒンジ部に近接した位置に形成されたマイク穴と、前記操作部側筐体の表面に、前記マイク穴から前記ヒンジ部の側へ向かって延びるように設けられたマイク溝と、を備えることを特徴とする。
【発明の効果】
【００１０】
本発明によれば、マイク穴とマイク溝がヒンジ部の近傍に形成されていてマイクへ音を伝えるための伝音路が確保されているので、折り畳み式の携帯端末（携帯電話機）を開いたときのデザイン性と通話時の集音性能を低下させるおそれがない。
【図面の簡単な説明】
【００１１】
【図１】本発明の一実施形態に適用される携帯電話機の開いた状態を示す外観斜視図である。
【図２】図１に示す携帯電話機のＡ部拡大図である。
【図３】図２に示すＡ部拡大図のＡ−Ａ断面図である。
【発明を実施するための形態】
【００１２】
本発明に係る携帯端末の実施形態では携帯電話機を例に挙げて説明する。本発明に係る携帯電話機は、折り畳み式の筐体におけるヒンジ部の近傍までマイク及びマイク穴の配置位置を近づけることにより、ユーザの頬によってマイ孔が塞がれ難くすると共に、そのマイク穴からヒンジ部に向けてマイク溝を設けることにより、ユーザの頬によってマイク穴が塞がれても、マイク溝によってマイクへの伝音路が確保されるように構成したことを特徴としている。このようにして、マイクへの伝音路が完全に塞がれないようなマイク穴とマイク溝の配置と形状を実現することにより、マイク穴とマイク溝の部分のデザイン性を確保すると共に、マイクの集音性能を良好に維持することができる。
【００１３】
以下、本発明の実施形態に係る携帯電話機について、図面を参照しながら好適な実施形態を詳細に説明する。なお、実施形態に用いる各図面において、同一の構成要素は原則として同一符号を付し、かつ、重複する説明は可能な限り省略する。
【００１４】
《実施形態》
図１は、本発明の一実施形態に適用される携帯電話機の開いた状態を示す外観斜視図である。また、図２は、図１に示す携帯電話機のＡ部拡大図である。したがって、図１、図２を参照しながら本発明の一実施形態に係る携帯電話機の構成について説明する。
【００１５】
図１に示すように、携帯電話機１は、操作部側筐体２と表示部側筐体３とがヒンジ部４によって開閉自在に構成された折り畳み式携帯電話機である。操作部側筐体２は、数字キーや文字キーなどのキー操作部５と、四方向キーや各種ショートカットキーなどの特殊操作部６と、アンテナが内蔵されたアンテナ内蔵部７と、内蔵されたマイク（図示せず）の伝音路となるマイク穴８と、マイク穴８からヒンジ部４の側へ向かって延びるように設けられて伝音路を実現するマイク溝９とを主に備えて構成されている。
【００１６】
また、表示部側筐体３は、ディスプレイとなる表示部１０と、レシーバとなる受話口１１とを主に備えて構成されている。なお、この携帯電話機１は、マイク穴８及びマイク溝９を除いた各要素は一般的な構成であるので、それらの要素については詳細な説明を省略する。したがって、以下の説明ではマイク穴８及びマイク溝９の部分について詳細に説明する。
【００１７】
図２に示すように、ヒンジ部４の近傍における操作部側筐体２の操作部側表面ケース１２にはマイク穴８が形成されている。なお、マイク穴８の下部にはマイク（図示せず）が配置されているので、このマイク穴８はマイクの伝音路となっている。また、操作部側表面ケース１２の表面において、マイク穴８からヒンジ部４の側へ向かって延びるようにマイク溝９が形成されている。このマイク溝９の溝幅と溝の深さについては、マイク溝９がマイクへの伝音路を形成できれば任意の寸法とすることができる。
【００１８】
また、操作部側表面ケース１２に形成されるマイク穴８や、マイク穴８に連通するマイク溝９の配置位置は、操作部側筐体２におけるマイクの収容位置に応じて適宜設計変更が可能である。
【００１９】
図３は、図２に示すＡ部拡大図のＡ−Ａ断面図である。図３に示すように、操作部側筐体２は、操作部側表面ケース１２と操作部側裏面ケース１３とによって構成されている。また、表示部側筐体３は、表示部側表面ケース１４と表示部側裏面ケース１５とによって構成されている。操作部側筐体２と表示部側筐体３は、表示部側表面ケース１４と表示部側裏面ケース１５の終端に形成されたヒンジ部４によって相対的に開閉自在に構成されている。
【００２０】
操作部側筐体２にける操作部側表面ケース１２の内部にはマイク１６が収容されている。なお、このマイク１６は、ヒンジ部４に近い位置の表示部側表面ケース１４の内部に配置されている。また、マイク１６の上部の操作部側表面ケース１２には、マイク１６へ音を伝えるための伝音路となるマイク穴８が貫通して形成されている。そして、このマイク穴８の内部側開口８Ａがマイク１６に近接した位置に形成されるとともに、外部側開口８Ｂがヒンジ部４に近接した位置に形成されている。
【００２１】
さらに、マイク穴８の側部からヒンジ部４の側へ向かって延びるように、操作部側表面ケース１２の表面部分にマイク溝９が形成されている。このマイク溝９もマイク１６へ音を伝えるための伝音路となる。すなわち、マイク１６の上部の操作部側表面ケース１２には、伝音路としてマイク穴８とマイク溝９が形成されている。さらに、マイク溝９は、操作部側筐体２におけるヒンジ部４側の端部まで達し、ヒンジ部４と操作部側表面ケース１２との間の隙間部分Ｓに連通している。
【００２２】
マイク穴８とマイク溝９とをこのように形成することにより、ヒンジ部４と操作部側表面ケース１２との間の隙間部分Ｓも伝音路として利用することができる。すなわち、マイク１６へ音を伝えるための伝音路は、マイク穴８とマイク溝９とヒンジ部４の隙間部分Ｓとによって形成されることになる。
【００２３】
これによって、ユーザが携帯電話機１で通話中にマイク穴８を頬で覆っても、マイク溝９とヒンジ部４の隙間部分Ｓとによって伝音路を確保することができるので、マイク１６の集音性や感度が損なわれるおそれはなくなる。しかも、ヒンジ部４の隙間部分Ｓを伝音路として有効に利用することができるので、マイク溝９の溝幅や溝の深さを必要最小限にすることができると共に、マイク１６をヒンジ部４側へできるだけ近づけることによってマイク溝９の長さを短くすることができるので、携帯電話機１のデザイン性は殆んど損なわれない。さらには、マイク溝９は、ヒンジ部４で折り畳む位置の近傍に形成されるために殆んど目立たないので、その観点からも携帯電話機１のデザイン性を低下させるおそれは少ない。
【００２４】
図３によってさらに説明すると、例えば、携帯電話機１で通話するときにメモを取る際には、その携帯電話機１を頬と肩とで挟みながら通話を行う場合がある。そのような場合には、図３に示すように、ユーザの頬２０が操作部側表面ケース１２やヒンジ部４に密着することがある。このとき、マイク穴８の外部側開口８Ｂの位置がヒンジ部４に近いために、頬２０の外形を示す実線のように、外部側開口８Ｂは頬２０によって塞がれ難くなる。これによってマイク１６の伝音路はマイク穴８によって確保されるのでマイク１６の集音性や感度は殆んど損なわれない。
【００２５】
さらに、ユーザの頬２０を操作部側表面ケース１２へ強く密着させて、頬２０の外形が破線で示すような状態になったときは、外部側開口８Ｂは頬２０によって塞がれるが、マイク溝９とヒンジ部４の隙間部分Ｓとによってマイク１６の伝音路は確保されるので、マイク１６の集音性や感度が劣化されるおそれはない。
【００２６】
《実験結果》
本発明の実施形態に係る携帯電話機の効果を裏付けるために、図３に示すような形状の携帯電話機のシミュレータを用いてマイクの感度低下を定量的に測定した。まず、従来のようにマイク穴の周囲に凹部（スリット）を設けた形状の携帯電話機では、通常の通話においてはマイクの感度低下は−４〜−５dBV（つまり、マイクの感度低下の割合は０・７倍程度）と測定された。次に、携帯電話機を頬と肩で挟みながら通話を行ったところ、頬によってマイク穴が覆われたことにより、マイクの感度低下は−２３dBV（つまり、マイクの感度低下の割合は０．０８倍程度）と測定され、測定不可に近い低い値となった。
【００２７】
一方、図３に示すような本実施形態の携帯電話機のシミュレータでは、マイク穴８よりヒンジ部４側に向かってマイク溝９が設けられているので、携帯電話機を頬と肩で挟みながら通話を行ったためにマイク穴８が頬２０で覆われた状態でも、マイク溝９及びヒンジ部４の隙間部分Ｓによる伝音路の効果により、マイクの感度低下は−４〜−６dBV（つまり、マイクの感度低下の割合は０・７倍程度）と測定された。すなわち、頬２０でマイク穴８を覆ってもマイクの感度低下は殆んど見られなかった。
【００２８】
以上、本発明に係る携帯端末の実施形態について図面を参照して詳述してきたが、本発明の具体的に構成はこれらの実施形態に限られるものではなく、本発明の趣旨を逸脱しない範囲の設計の変更等があってもそれらは本発明に含まれる。
【産業上の利用可能性】
【００２９】
本発明によれば、携帯電話機などの携帯端末に利用できることは勿論であるが、ＰＨＳ（Ｐｅｒｓｏｎａｌ  Ｈａｎｄｙ  Ｐｈｏｎｅ  Ｓｙｓｔｅｍ）、ＩＰ（Ｉｎｔｅｒｎｅｔ  Ｐｒｏｔｏｃｏｌ）電話、コードレス電話などにも利用することが可能あり、さらには、ＰＤＭ（Ｐｒｏｄｕｃｔ  Ｄａｔａ  Ｍａｎａｇｅｍｅｎｔ：製品データ管理）に用いるマイクの配置などにも利用することができる。
【符号の説明】
【００３０】
１  携帯電話機
２  操作部側筐体
３  表示部側筐体
４  ヒンジ部
５  キー操作部
６  特殊操作部
７  アンテナ内蔵部
８  マイク穴
８Ａ  内部側開口
８Ｂ  外部側開口
９  マイク溝
１０  表示部
１１  受話口
１２  操作部側表面ケース
１３  操作部側裏面ケース
１４  表示部側表面ケース
１５  表示部側裏面ケース
１６  マイク
２０  頬
Ｓ  隙間部分
【図１】
2013021470.tif 000003
【図２】
2013021470.tif 000004
【図３】
2013021470.tif 000005